(57)【特許請求の範囲】
【請求項１】
利用者の体重を量ることができる荷重測定用ベッド装置であって、
載置フレームと、
この載置フレームに設けられる荷重測定手段と、
上記載置フレームに上記荷重測定手段によって荷重の測定可能に設けられる床板体を具備し、
上記荷重測定手段は、
上記載置フレームに取付けられるロードセルと、
上記床板体に取付けられるフランジ及びこのフランジの取付け孔に設けられたラジアル軸受を有するフランジ軸受体と、
上記ロードセルの上記床板体の荷重を受ける自由端に軸線を垂直にして連結される大径軸部及びこの大径軸部に段差部を介して連設されたテーパ軸部を有し、このテーパ軸部が上記ラジアル軸受に挿入支持されて上記段差部で上記床板体の荷重を上記ラジアル軸受を介して受けて上記ロードセルに伝達する荷重受け軸と
によって構成されていることを特徴とする荷重測定用ベッド装置。
【請求項２】
上記テーパ軸部の先端部には、このテーパ軸部が上記載置フレームから外れるのを阻止するストッパが設けられることを特徴とする請求項１記載の荷重測定用ベッド装置。
【請求項３】
上記載置フレームには、上記床板体を三箇所で支持する３つの荷重測定手段が設けられていることを特徴とする請求項１記載の荷重測定用ベッド装置。
【請求項４】
ベースフレームを有し、上記載置フレームは上記ベースフレームに上下駆動機構によって上下動可能に設けられていることを特徴とする請求項１記載の荷重測定用ベッド装置。
【請求項５】
上記床板体は、床フレーム及びこの床フレームに載置される床板を有し、上記荷重測定手段は上記床フレームを支持していることを特徴とする請求項１記載のベッド装置。
【発明の詳細な説明】
【技術分野】
【０００１】
この発明は利用者がマットレス上に仰臥した状態で体重を測定することができる荷重測定用ベッド装置に関する。
【背景技術】
【０００２】
たとえば、長期間にわたって療養中の患者や人工透析を行っている患者など利用者はマットレス上で仰臥したままで体重を継続的に測定できるようにすることが要求されることがある。その場合、ベースフレームの上面に複数のロードセルを設け、このロードセルによってベッド床部の荷重を受けるようにしたり、ベッドに設けられた４本の脚をロードセルを備えた荷重スケールに載せるということが行われている。このような先行技術は特許文献１に示されている。
【特許文献１】特開２００５−３００３６８号公報
【発明の開示】
【発明が解決しようとする課題】
【０００３】
ベースフレームの上面にロードセルを設け、このロードセルによってベッド床部を支持する前者の場合、上記ロードセルは一端がベースフレームに固定され、荷重を受ける自由端が球体を介して上記ベッド床部を支持するようになっている。
【０００４】
球体を用いてベッド床部を支持する構造によれば、ベッド床部に加わる荷重が球体とベッド床部との接触点に集中して水平方向に荷重が分散し難いため、ベッド床部に加わる荷重に偏りが生じても、ロードセルに加わる垂直方向の荷重が大きく変動しないため、荷重の測定を高精度で行えるという利点を有する。
【０００５】
しかしながら、上記ベッド床部を球体によって支持する場合、上記ロードセルの自由端と、上記ベッド床部にそれぞれ球面軸受を設けなければならない。球面軸受は非常に高価であるから、大幅なコスト上昇を招くということがある。しかも、球体によってベースフレームに支持されたベッド床部は水平方向に大きく動き易いため、不安定な状態になるから、使用し難いということがある。
【０００６】
ベッドに設けられた４本の脚を荷重スケールに載せる後者の構成によると、上記荷重スケールはベースの上面にロードセンサを設け、このセンサに測定皿を球体によって支持する構造となっている。
【０００７】
そのため、この場合も、前者の構造と同様、球体を支持するための球面軸受が必要となるから、大幅なコスト上昇を招くということがある。しかも、球体によって支持されただけの測定皿は不安定な状態にあるから、この測定皿に脚を載せて設けられるベッドも不安定な状態となって使用し難いということがある。
【０００８】
この発明は、球面軸受を用いることなく、利用者の体重を比較的高精度に測定することができるとともに、利用者が仰臥する床板体を水平方向に大きくずれ動くことがないよう、安定した状態で支持できるようにした荷重測定用ベッド装置を提供することにある。
【課題を解決するための手段】
【０００９】
この発明は、利用者の体重を量ることができる荷重測定用ベッド装置であって、
載置フレームと、
この載置フレームに設けられる荷重測定手段と、
上記載置フレームに上記荷重測定手段によって荷重の測定可能に設けられる床板体を具備し、
上記荷重測定手段は、
上記載置フレームに取付けられるロードセルと、
上記床板体に取付けられるフランジ及びこのフランジの取付け孔に設けられたラジアル軸受を有するフランジ軸受体と、
上記ロードセルの上記床板体の荷重を受ける自由端に軸線を垂直にして連結される大径軸部及びこの大径軸部に段差部を介して連設されたテーパ軸部を有し、このテーパ軸部が上記ラジアル軸受に挿入支持されて上記段差部で上記床板体の荷重を上記ラジアル軸受を介して受けて上記ロードセルに伝達する荷重受け軸と
によって構成されていることを特徴とする荷重測定用ベッド装置にある。
【００１０】
上記テーパ軸部の先端部には、このテーパ軸部が上記載置フレームから外れるのを阻止するストッパが設けられることが好ましい。
【００１１】
上記載置フレームには、上記床板体を三箇所で支持する３つの荷重測定手段が設けられていることが好ましい。
【００１２】
ベースフレームを有し、上記載置フレームは上記ベースフレームに上下駆動機構によって上下動可能に設けられていることが好ましい。
【００１３】
上記床板体は、床フレーム及びこの床フレームに載置される床板を有し、上記荷重測定手段は上記床フレームを支持していることが好ましい。
【発明の効果】
【００１４】
この発明によれば、載置フレームに設けられた荷重測定手段の荷重受け軸が床板体に設けられたフランジ軸受体のラジアル軸受によって支持されているから、床板体は水平方向にずれ動き難い構造となる。しかも、荷重受け軸のテーパ軸部がラジアル軸受によって支持されているから、床板体に加わる荷重に偏りが生じても、その荷重は荷重受け軸のテーパ軸部と大径軸部との段差部に集中し、水平方向に分散し難くいため、床板体に加わる荷重をロードセルによって精密に測定することが可能となる。
【発明を実施するための最良の形態】
【００１５】
以下、この発明の一実施の形態を図面を参照して説明する。
【００１６】
図１はベッド装置の平面図であり、図２は図１に示すベッド装置の側面図である。図２に示すように、上記ベッド装置はベースフレーム１を有する。このベースフレーム１は矩形枠状に形成されていて、その四隅部にはストッパ付のキャスタ２が設けられている。それによって、ベースフレーム１は走行可能となっている。
【００１７】
上記ベースフレーム１には上下駆動機構３によって載置フレーム５が上下動可能、つまり高さ調整可能に設けられている。上記上下駆動機構３は、駆動源６を有する。図３（ｃ）に示すように、上記ベースフレーム１の四隅部には連動アーム７の一端が枢着されている。各アーム７の他端は上記載置フレーム５の長手方向両端部に両側内面にそれぞれ枢着されている。載置フレーム５の長手方向の両端部に設けられた左右一対の連動アーム７は連結杆８によって連結されている。
【００１８】
一対の連結杆８は連動杆９の両端に連結アーム１０によって連結されていて、上記連動杆９は上記駆動源６によって軸方向に進退駆動されるようになっている。上記連動杆９が進退駆動されれば、連結杆８によって連結された各一対の連動アーム７がベースフレーム１に枢着された一端を支点してとして上下駆動されるから、連動アーム７の動きに上記載置フレーム５が連動して上下駆動されるようになっている。
【００１９】
上記載置フレーム５は、図２と図３（ｃ）に示すように平行に離間対向した一対の側部材１１の長手方向の一端にヘッドボード１２、他端にフットボード１３が連結されてなる。載置フレーム５には、ヘッドボード１２の内面の幅方向両端部の二箇所と、フットボード１３の内面の幅方向中央部の１箇所の合計三箇所に下部取付け板１５が水平に設けられている。
【００２０】
各下部取付け板１５上には荷重測定手段１６が設けられている。この荷重測定手段１６は図５に示すように上記下部取付け板１５に一端部が一対のねじ１７によって取付け固定されたロードセル１８を有する。ロードセル１８の他端部は一端部に比べて薄肉に形成されていて、荷重を受けることで弾性的に変形可能な自由端部となっている。
【００２１】
この自由端部には図示しない歪ゲージが内蔵されていて、この自由端部が荷重に応じて変形することで、その変形量に応じて上記歪ゲージの抵抗値が変化する。それによって、抵抗値の変化に応じた電気信号を出力するようになっている。
【００２２】
各ロードセル１８から出力された電気信号は上記載置フレーム５のヘッドボード１２側の端部に設けられた制御ボックス１９に出力され、この制御ボックス１９で荷重に変換されて上記ヘッドボード１２に設けられた表示部２１に表示される。つまり、３つのロードセル１８にそれぞれ加わる荷重の総和が上記表示部２１に表示される。
【００２３】
図５に示すように、上記ロードセル１８の自由端部には荷重受け軸２２が軸線を垂直にして取付け固定される。すなわち、荷重受け軸２２は大径軸部２３と、この大径軸部２３の上端に段差部２４を介して連設されたテーパ軸部２５及び下端に設けられたおねじ部２６を有し、このおねじ部２６が上記ロードセル１８の自由端部にねじ止め固定されている。
【００２４】
上記載置フレーム５には床板体３１が上記荷重測定手段１６の荷重受け軸２２によって支持される。すなわち、床板体３１は床フレーム３２と、この床フレーム３２に載置される床板３３からなる。
【００２５】
床フレーム３２は、図２と図３（ｂ）に示すように、上記載置フレーム５のほぼ同じ長さ寸法の矩形枠状に形成されていて、上記載置フレーム５に設けられた荷重測定手段１６と対応する位置、つまり上記下部取付け板１５と対応する位置である、長手方向の一端の二箇所と、他端の一箇所にはそれぞれ上部取付け板３４が設けられている。
【００２６】
各上部取付け板３４にはフランジ軸受体３５が設けられている。このフランジ軸受体３５は図５に示すように、上記上部取付け板３４にねじ３６によって取付け固定されたフランジ３７を有する。このフランジ３７には取付け孔３８が形成されている。この取付け孔３８にはラジアル軸受３９が収納保持されている
上記ラジアル軸受３９は上記取付け孔３８に嵌着される外輪４１と、この外輪４１の球体４２を介して保持される内輪４３を有する。この内輪４３にはストレートブッシュ４４が嵌着されている。
【００２７】
そして、上記床フレーム３２は、各荷重測定手段１６の上記荷重受け軸２２のテーパ軸部２５に各フランジ軸受体３５に設けられたストレートブッシュ４４を装着させることで、上記荷重受け軸２２を介して３つのロードセル１８によって支持されている。このとき、上記ストレートブッシュ４４の下端は上記荷重受け軸２２の段差部２４に当接する。
【００２８】
上記テーパ軸部２５の上記ストレートブッシュ４４から突出した部分にはカラー４６が装着されている。このテーパ軸部２５のカラー４６が装着された部分は上記上部取付け板３４に形成された通孔３４ａからその上面側に突出していて、その上端部にはストッパ４７が固定される。それによって、上記テーパ軸部２５は上記上部取付け板３４の通孔３４ａから抜出不能となっている。
【００２９】
上記床板３３は図３（ａ）に示すように互いに回動可能に連結された複数枚の床板部に分割されている。この実施の形態では５枚の床板部３３ａ〜３３ｅに分割されている。中央に位置する床部３３ｃは上記床フレーム３２に固定され、他の床部３３ａ，３３ｂ，３３ｄ，３３ｅは回動可能となっている。
【００３０】
上記載置フレーム５には図示しない起伏駆動機構が設けられていて、この起伏駆動機構によって上記床フレーム３２に固定されていない床板部３３ａ〜３３ｅを起伏させることができるようになっている。つまり、床板３３上に載置される図示しないマットレス上に仰臥した利用者の上半身を起こしたり、下半身の脚の部分を上昇させるなどのことができるようになっている。
【００３１】
このような構成のベッド装置によれば、床板３３上に利用者が仰臥すると、この利用者の体重は床フレーム３２を支持した３つの荷重測定手段１６の荷重受け軸２２を介してロードセル１８に伝達される。それによって、各ロードセル１８の自由端部が荷重に応じて歪み、その歪に応じて生じる歪ゲージの抵抗値の変化によって利用者の体重が表示部２１に表示される。
【００３２】
床板３３を介して床フレーム３２に加わる利用者の荷重は、上記荷重測定手段１６のフランジ軸受体３５に支持された荷重受け軸２２を介してロードセル１８の自由端に伝達される。
【００３３】
上記荷重受け軸２２は大径軸部２３及びこの大径軸部２３に段差部２４を介して連設されたテーパ軸部２５を有し、このテーパ軸部２５が上記フランジ軸受体３５のラジアル軸受３９にストレートブッシュ４４を介して支持されている。つまり、ストレートブッシュ４４の下端が上記段差部２４に当接して床板体３１に加わる荷重がロードセルに伝達されるようになっている。
【００３４】
上記床板体３１に加わる荷重は、ストレートブッシュ４４の下端が当接する段差部２４によって集中して受けられる。上記ストレートブッシュ４４は荷重受け軸２２のテーパ軸部２５に挿入されている。
【００３５】
そのため、たとえば床板体３１に加わる荷重に偏りが生じ、この床板体３１が左右方向や前後方向に傾き、床板体３１とともにフランジ軸受体３５が傾いても、ストレートブッシュ４４は段差部２４以外の部分が荷重受け軸２２に接触することがほとんどない。
【００３６】
すなわち、下端が段差部２４に当接するストレートブッシュ４４は荷重受け軸２２のテーパ軸部２５に装着されている。そのため、ストレートブッシュ４４は、テーパ軸部２５の下端である、上記段差部２４以外の箇所は荷重受け軸２２に接触しないから、その接触部分に床板体３１の荷重が集中する。
【００３７】
つまり、床板体３１に加わる荷重は、床板体３１に加わる荷重が偏ることで傾きが生じるなどしても、フランジ軸受体３５に支持されたストレートブッシュ４４の下端と段差部２４との接触部分によって集中的に受けられる。それによって、床板体３１に加わる荷重は水平方向に分散し難くなって、ロードセル１８に垂直に加わり易くなるから、このロードセル１８によって荷重を精密に測定することが可能となる。
【００３８】
床板体３１はフランジ軸受体３５を介して荷重測定手段１６の荷重受け軸２２によって連結されている。そのため、床板体３１が水平方向に自由に動くのが制限されるから、床板体３１を球面軸受けによって支持した場合のように、支持状態が不安定になって使い難いということがない。
【００３９】
すなわち、床板体３１を球面軸受に代わり、この床板体３１の水平方向の動きを制限することができるラジアル軸受３９を備えたフランジ軸受体３５によって支持する構造としても、上記床板体３１に加わる荷重を球面軸受と同じように、段差部２４とストレートブッシュ４４の接触部に集中させて受けることができるから、体重の測定精度が低下するのを防止できる。
【００４０】
上記床板体３１の床フレーム３２は、載置フレーム５の三箇所に設けられた荷重測定手段１６の荷重受け軸２２によって支持されている。つまり、床フレーム３２は３点支持構造となっている。
【００４１】
そのため、床フレーム３２の製作時に、溶接の熱影響や組み立て精度の低下などで床フレーム３２に歪が生じていても、３点支持であるためにその歪に影響されることなく、水平に支持することが可能となる。つまり、床フレーム３２の三箇所の荷重測定手段１６による支持高さを同じにして支持することができる。
【００４２】
そのため、水平に支持された床フレーム３２に荷重が垂直に加われば、各荷重測定手段１６のロードセル１８に水平方向の分力が生じることがないから、そのことによっても荷重の測定精度を向上させることができる。
【００４３】
すなわち、床フレーム３２を４点支持にすると、床フレーム３２にわずかな歪があっても、この床フレーム３２の４箇所の支持高さを同じにできなくなるが、３箇所であれば、そのようなことがないから、荷重の測定精度を向上させることができる。
【００４４】
上記一実施の形態では、ラジアル軸受体とテーパ軸部との間にストレートブッシュを介在させたが、ラジアル軸受体の内輪に上記テーパ軸部を直接支持させるようにしても差し支えない。その場合、上記内輪の下端が荷重受け軸２２の段差部２４に当接し、その当接部分で床板体の荷重を受けることになる。
【００４５】
また、ベッド装置として載置フレームが上下駆動される構成を挙げたが、載置フレームを上下駆動させない構造のベッド装置であっても、この発明を適用することができる。
【図面の簡単な説明】
【００４６】
【図１】この発明の一実施の形態を示すベッド装置の平面図。
【図２】図１に示すベッド装置の正面図。
【図３】（ａ）は床板体の床板の平面図、（ｂ）は床板体の床フレームの平面図、図３（ｃ）はベースフレームに設けられた載置フレームの平面図。
【図４】ベッド装置の一端部を拡大して示す正面図。
【図５】床フレームと荷重測定手段との連結部分の拡大図。
【符号の説明】
【００４７】
５…載置フレーム、１６…荷重測定手段、１８…ロードセル、２２…荷重受け軸、２３…大径軸部、２４…段差部、２５…テーパ軸部、３１…床板体、３２…床フレーム、３３…床板、３５…フランジ軸受体、３８…取付け孔、３９…ラジアル軸受。
【図１】
0004802021.tif 000002
【図２】
0004802021.tif 000003
【図３】
0004802021.tif 000004
【図４】
0004802021.tif 000005
【図５】
0004802021.tif 000006